(57)【要約】【課題】既存のシステム構成に何ら改造を加えることなしに移動局の位置情報を安価に伝送することができる移動体管理システムを提供する。【解決手段】基地局２００が音声通信網を介して移動局１００の管理を行う移動局管理システムであって、移動局１００は、移動局１００の位置に関する情報を取得するＧＰＳアンテナ１０１、受信機１０２と、取得した位置情報を音声帯域信号に変換する移動局アダプター１０４と、変換された音声帯域信号を音声通信網に送出する移動局無線機１０６、アンテナ１０７とを有し、基地局２００は、音声通信網を介して送信された音声帯域信号を位置情報に変換する基地局アダプター２０３と、変換された位置情報を表示する表示用ＰＣ２０１とを有する。【選択図】        図１
2004350139.tif 000002
【特許請求の範囲】
【請求項１】
基地局が音声通信網を介して移動局の管理を行う移動局管理システムであって、
前記移動局は、
当該移動局に関する情報を取得する情報取得部と、
前記情報取得部において取得した情報を音声帯域信号に変換する音声合成部と、
前記音声合成部において変換された音声帯域信号を音声通信網に送出する音声送出部とを有し、
前記基地局は、
前記音声通信網を介して送信された前記音声帯域信号を前記移動局に関する情報に変換する音声認識部と、
前記音声認識部において変換された情報を所定の形態で出力する出力部とを有する
ことを特徴とする移動局管理システム。
【請求項２】
前記移動局は、前記情報取得部で取得した前記移動局に関する情報を記憶する記憶部と、前記基地局からの伝送指示を受信したことを認識する音声認識部と、前記音声認識部にて前記基地局からの伝送指示を受信したことを認識したときに、前記記憶部に記憶された情報を読み出して前記音声合成部に前記音声帯域信号への変換を行わせる制御部とをさらに有することを特徴とする請求項１に記載の移動局管理システム。
【請求項３】
前記移動局に関する情報は、前記移動局の位置情報であることを特徴とする請求項１または２に記載の移動局管理システム。
【請求項４】
基地局が音声通信網を介して移動局の管理を行う移動局管理システムにおいて用いられる移動局用のアダプタ装置であって、
取得した移動局に関する情報を記憶する記憶部と、
前記記憶部から読み出された情報を音声帯域信号に変換する音声合成部と、
前記記憶部及び前記音声合成部の動作を制御する制御部と、
を具備することを特徴とするアダプタ装置。
【請求項５】
前記基地局からの伝送指示を受信したかどうかを識別する音声認識部をさらに有し、
前記音声認識部にて前記基地局からの伝送指示を受信したことが識別された場合に、前記制御部は、前記記憶部に記憶された情報を読み出して前記音声合成部に音声帯域信号への変換を行わせることを特徴とする請求項４に記載のアダプタ装置。
【請求項６】
基地局が音声通信網を介して移動局の管理を行う移動局管理システムにおいて用いられる基地局用のアダプタ装置であって、
前記音声通信網を介して前記移動局から送られた音声帯域信号を前記移動局に関する情報に変換する音声認識部と、
前記音声認識部の動作を制御する制御部と、
を具備することを特徴とするアダプタ装置。
【請求項７】
前記移動局からの音声帯域信号の送信に先立って、前記基地局に関する情報に対する伝送指示を音声帯域信号に変換して前記音声通信網を介して前記移動局に送信するための音声合成部をさらに有することを特徴とする請求項６に記載の基地局用アダプタ装置。
【請求項８】
前記移動局に関する情報は、前記移動局の位置情報であることを特徴とする請求項４から７のいずれか１つに記載のアダプタ装置。
【発明の詳細な説明】
【０００１】
【発明の属する技術分野】
本発明は移動体管理システム及びアダプタ装置に関するものである。
【０００２】
【従来の技術】
基地局が音声通信網を介して移動局の管理を行うにあたって、例えばデジタル方式ＭＣＡ無線システムを利用することが可能である。デジタル方式ＭＣＡ無線システムでは、音声信号をデジタル信号に変換するための音声コーデックの技術が導入されている。この音声コーデックは人間の音声帯域にのみ反応する仕組みであるためデジタル信号等の機械音に対しては反応せず、音声コーデックからの出力を伝送することは極めて困難であった。
【０００３】
そこで従来は、デジタル方式ＭＣＡ無線システムにより移動局の位置情報などのデータを伝送する必要がある場合には、当該システムの設備構成に高額なパケット交換装置を別途に追加して音声チャンネルとは別にデジタル信号を伝送するためのパケットチャンネルを設けていた。
【０００４】
【発明が解決しようとする課題】
上記のように従来のデータ伝送方式では、既存のシステム構成に加えてデジタル信号を伝送するための高額なパケット交換装置を別途用意する必要があり、多額な設備投資が必要であるという課題があった。
【０００５】
さらに、基地局及び移動局の無線機は従来の音声通信専用の端末からデータ伝送が可能な型に買い換える必要があるなど、導入時におけるユーザの負担も大きいという問題もあった。
【０００６】
本発明はこのような課題に着目してなされたものであり、その目的とするところは、既存のシステム構成に何ら改造を加えることなしに、移動局に関する情報を安価に伝送することができる移動体管理システム及びアダプタ装置を提供することにある。
【０００７】
【課題を解決するための手段】
上記の目的を達成するために、第１の発明は、基地局が音声通信網を介して移動局の管理を行う移動局管理システムであって、前記移動局は、当該移動局に関する情報を取得する情報取得部と、前記情報取得部において取得した情報を音声帯域信号に変換する音声合成部と、前記音声合成部において変換された音声帯域信号を音声通信網に送出する音声送出部とを有し、前記基地局は、前記音声通信網を介して送信された前記音声帯域信号を前記移動局に関する情報に変換する音声認識部と、前記音声認識部において変換された情報を所定の形態で出力する出力部とを有する。
【０００８】
また、第２の発明は、第１の発明に係る移動局管理システムにおいて、前記移動局は、前記情報取得部で取得した前記移動局に関する情報を記憶する記憶部と、前記基地局からの伝送指示を受信したことを認識する音声認識部と、前記音声認識部にて前記基地局からの伝送指示を受信したことを認識したときに、前記記憶部に記憶された情報を読み出して前記音声合成部に前記音声帯域信号への変換を行わせる制御部とをさらに有する。
【０００９】
また、第３の発明は、第１または第２の発明に係る移動局管理システムにおいて、前記移動局に関する情報は、前記移動局の位置情報である。
【００１０】
また、第４の発明は、基地局が音声通信網を介して移動局の管理を行う移動局管理システムにおいて用いられる移動局用のアダプタ装置であって、取得した移動局に関する情報を記憶する記憶部と、前記記憶部から読み出された情報を音声帯域信号に変換する音声合成部と、前記記憶部及び前記音声合成部の動作を制御する制御部とを具備する。
【００１１】
また、第５の発明は、前記基地局からの伝送指示を受信したかどうかを識別する音声認識部をさらに有し、前記音声認識部にて前記基地局からの伝送指示を受信したことが識別された場合に、前記制御部は、前記記憶部に記憶された情報を読み出して前記音声合成部に音声帯域信号への変換を行わせる。
【００１２】
また、第６の発明は、基地局が音声通信網を介して移動局の管理を行う移動局管理システムにおいて用いられる基地局用のアダプタ装置であって、前記音声通信網を介して前記移動局から送られた音声帯域信号を前記移動局に関する情報に変換する音声認識部と、前記音声認識部の動作を制御する制御部とを具備する。
【００１３】
また、第７の発明は、第６の発明に係るアダプタ装置において、前記移動局からの音声帯域信号の送信に先立って、前記基地局に関する情報に対する伝送指示を音声帯域信号に変換して前記音声通信網を介して前記移動局に送信するための音声合成部をさらに有する。
【００１４】
また、第８の発明は、第４から７の発明のうちのいずれか１つに係るアダプタ装置において、前記移動局に関する情報は、前記移動局の位置情報である。
【００１５】
【発明の実施の形態】
以下、図面を参照して本発明の実施形態について詳細に説明する。図１は本発明の一実施形態による移動局管理システムの構成を示すブロック図であり、移動局１００と基地局２００とを含む。移動局１００と基地局２００との無線通信回線（音声通信網）を確立するために中継局３００が介在する。ここでは１つの移動局１００のみを想定して説明するが、複数の移動局が無線通信回線を介して基地局２００と無線通信を行うことが可能である。また、移動局の例としてはトラック等の車両が考えられる。
【００１６】
移動局１００は、ＧＰＳ信号を受信するＧＰＡアンテナ１０１を備えた受信機（位置情報取得部）１０２と、受信機１０２からの位置情報１０３としてのデジタル信号を音声帯域信号１０５に変換する移動局アダプター１０４と、移動局アダプター１０４からの音声帯域信号１０５を無線信号の形態でアンテナ１０７から中継局３００を含む音声通信網に送出する送出部としての移動局無線機１０６とから構成される。
【００１７】
移動局アダプター１０４は図２（Ａ）に示すように、受信機１０２からの位置情報１０３を記憶するためのメモリー部１０４−１と、制御部１０４−４の制御のもとにメモリー部１０４−１から読み出された位置情報を音声帯域信号に変換する音声合成部１０４−２と、後述する基地局２００からの伝送指示を識別するための音声認識部１０４−３と、上記した各部の動作を制御するための制御部１０４−４とを備える。
【００１８】
一方、基地局２００は、中継局３００を含む音声通信網を介して伝送され、アンテナ２０６から入力された無線信号を音声帯域信号２０４に変換する基地局無線機２０５と、基地局無線機２０５からの音声帯域信号２０４を位置情報２０２としての数値データに変換する基地局アダプター２０３と、数値データを地図ソフトを使用して表示部に表示（出力）する表示用ＰＣ２０１とを備える。
【００１９】
基地局アダプター２０３は、移動局１００に対して伝送指示を与えるための探索ボタン２０３−４と、当該伝送指示を音声帯域信号に変換する音声合成部２０３−１と、基地局無線機２０５からの音声帯域信号２０４を位置情報２０２に変換する音声認識部２０３−２と、上記した各部の動作を制御する制御部２０３−３とを備える。
【００２０】
次に、本発明の一実施形態の動作の流れについてさらに図３のフローチャートを参照して説明する。まず基地局２００では、複数の移動局のうち最初に探索すべき移動局を基地局無線機２０５の個別選択機能を用いて手動にて選択し呼び出しを行う（ステップＳ１）。移動局がトラック等の車両の場合には走行中の複数のトラックから特定の号車を選択することになる。
【００２１】
次に、当該呼び出し後４秒以内（通話チャンネル保持時間）に基地局アダプター２０３の探索ボタン２０３−４を押下げし、位置情報伝送指示（以下単に、伝送指示と呼ぶ）を音声合成部２０３−１において音声帯域信号に変換し、基地局無線機２０５に送出する（ステップＳ２）。
【００２２】
基地局無線機２０５は、この伝送指示を電波信号に変換した後、中継局３００を経由して移動局１００に送出する（ステップＳ３）。
【００２３】
移動局１００はＧＰＳアンテナ２０６を介して常に自己の位置を正確に測位するとともに、測位により取得した位置情報を２秒間隔で規定の信号形式（ＮＭＥＡ−０１８３、ＲＭＣフォーマット）に従って移動局アダプター１０４に送り続ける。移動局アダプター１０４は基地局２００からの伝送指示があるまではこの位置情報をメモリ−部１０４−１に繰り返し上書きする動作を行う（ステップＳ５−１）。
【００２４】
移動局１００では、中継局３００から送られてくる電波信号を移動局無線機１０６により受信する。移動局無線機１０６では受信した電波信号を音声帯域信号に変換して移動局アダプター１０４に送出する（ステップＳ４）。
【００２５】
移動局アダプター１０４では、受け取った音声帯域信号が基地局２００からの伝送指示であることを音声認識部１０４−３により識別する。識別できた場合、制御部１０４−４は最新の位置情報をメモリー部１０４−１から読み出し、これを音声合成部１０４−２を通して音声帯域信号１０５に変換させて、移動局無線機１０６に送出する（ステップＳ５−２）。移動局無線機１０６は音声帯域信号１０５を無線信号に変換してアンテナ１０７から中継局３００を含む音声通信網に送出する（ステップＳ６）。
【００２６】
基地局無線機２０５では中継局３００から送られてくる電波信号を受信しこれを音声帯域信号２０４に変換して基地局アダプター２０３に送出する（ステップＳ７）。
【００２７】
基地局アダプター２０３では受け取った音声帯域信号２０４を音声認識部２０３−２を通して位置情報（数値データ）２０２に変換して、表示用ＰＣ２０１に送出する（ステップＳ８）。表示用ＰＣ２０１は数値データを地図ソフトが認識し得るＧＰＳ標準形式に復元して、移動局１００の位置情報を地図ソフト上に表示する（ステップＳ９）。
【００２８】
上記のステップＳ１からＳ９の処理を所定数の号車が表示部に表示されるまで繰り返す。
【００２９】
なお、移動局１００から受信した位置情報の桁数が規定値外の場合、基地局２００は移動局１００に対して再度の伝送指示を送信する。また、数値データを表示する代わりにいったん記憶部に記憶するようにしてもよい。
【００３０】
上記した手順を要約すると以下のようになる。
【００３１】
（１）  個別探索により基地局２００から各移動局１００に対して位置情報の伝送指示をその都度送信する。
【００３２】
（２）  移動局１００は上記伝送指示を受信したことに応答して位置情報を自動的に基地局に送信する。
【００３３】
（３）  基地局２００は受信した位置情報の桁数が規定値外の場合には、移動局１００に対して再度伝送指示を送信する。
【００３４】
（４）  移動局１００は上記伝送指示を受信したことに応答して位置情報を自動的に基地局２００に送信する。
【００３５】
なお、変形例として、移動局は基地局からの位置情報の伝送指示を待つのではなく、任意のタイミングで自動的に位置情報を基地局に送信するようにしてもよい。この場合、各種のイベント（出庫、到着、出発、休息、帰社等）情報を付加することができる。基地局は受信した位置情報とイベントとに基づいて日報を自動的に作成することができる。
【００３６】
また、他の変形例として、移動局は基地局からの位置情報の伝送指示を待つのではなく、予め指定されたインターバルで自動的に位置情報を送信することも可能である。
【００３７】
また、基地局側から伝送指示を行う実施形態の変形例として、基地局はポーリングにより移動局の個別探索を連続的に自動実行するようにしてもよい。
【００３８】
さらに、移動局アダプターに送信される情報はＧＰＳアンテナを介して取得した位置情報に限定されることはなく、移動局に関する情報として例えば移動局の状態情報（例えば故障情報）を送信するようにしてもよい。
【００３９】
上記した実施形態によれば、既存のシステム構成に加えてデジタル信号を伝送するための高額なパケット交換装置を別途用意する必要がなくなるので、多額な設備投資が不要となり、これによって移動局の位置情報を安価に伝送することができる。
【００４０】
また、基地局及び移動局の無線機は従来の音声通信専用の端末からデータ伝送可能型に買い換える必要がなくなるので、導入時におけるユーザの負担が大幅に軽減される。
【００４１】
【発明の効果】
本発明によれば、既存のシステム構成に何ら改造を加えることなしに、移動局に関する情報を安価な方法で基地局に伝送することができる。
【図面の簡単な説明】
【図１】本発明の一実施形態による移動局管理システムの構成を示すブロック図である。
【図２】（Ａ）は図１に示す移動局アダプターの構成を示すブロック図であり、（Ｂ）は図１に示す基地局アダプターの構成を示すブロック図である。
【図３】本発明の一実施形態の動作の流れについて説明するためのフローチャートである。
【符号の説明】
１００…移動局、１０１…ＧＰＳアンテナ、１０２…受信機、１０３…位置情報、１０４…移動局アダプター、１０５…音声帯域信号、１０６…移動局無線機、１０７…アンテナ、２００…基地局、２０１…表示用ＰＣ、２０２…位置情報、２０３…基地局アダプター、２０４…音声帯域信号、２０５…基地局無線機、２０６…アンテナ、３００…中継局。
【図１】
2004350139.tif 000003
【図２】
2004350139.tif 000004
【図３】
2004350139.tif 000005